【手続補正書】
【提出日】平成16年1月8日(2004.1.8)
【手続補正１】
【補正対象書類名】明細書
【補正対象項目名】発明の名称
【補正方法】変更
【補正の内容】
【発明の名称】両面原稿読取り装置及び画像形成装置


【手続補正２】
【補正対象書類名】明細書
【補正対象項目名】特許請求の範囲
【補正方法】変更
【補正の内容】
【特許請求の範囲】
【請求項１】
原稿搬送路上の所定の照射領域に向けて光を照射する光源を備えた原稿読取り手段が原稿搬送路の原稿表面側及び原稿裏面側のそれぞれに備えられ、原稿搬送路を走行する原稿の表裏面に各光源から光を照射しながら各原稿読取り手段がこの表裏面の画像をそれぞれ読取る両面原稿読取り装置において、
上記照射領域のうち、少なくとも一方の照射領域に原稿が存在している間、両光源の点灯状態を維持する維持手段が設けられていることを特徴とする両面原稿読取り装置。
【請求項２】
請求項１記載の両面原稿読取り装置において、
原稿搬送路上の原稿の走行位置を検出する位置検出手段と、
この位置検出手段の出力を受け、原稿走行位置から照射領域までの距離と原稿走行速度とにより、原稿が照射領域に到達する時刻を算出し、その算出結果に基づいて光源の点灯タイミングを設定する点灯手段とを備えていることを特徴とする両面原稿読取り装置。
【請求項３】
請求項１または２記載の両面原稿読取り装置において、
両光源は略同時に点灯及び消灯が行われることを特徴とする両面原稿読取り装置。
【請求項４】
原稿の一方の面及び他方の面に対して各光源からの光を照射することにより原稿両面の画像を読取る両面原稿読取り装置において、
原稿の一方の面を読取る領域に配置されている第１読取り部と、原稿の他方の面を読取る領域に配置されている第２読取り部とを原稿搬送方向にずらせて配置すると共に、上記原稿の何れかの面の画像を読取っている間は、両光源の点灯状態を維持する維持手段が設けられていることを特徴とする両面原稿読取り装置。
【請求項５】
原稿の一方の面及び他方の面に対して各光源からの光を照射することにより原稿両面の画像を読取る両面原稿読取り装置において、
原稿の一方の面を読取る領域に配置されている第１読取り部と、原稿の他方の面を読取る領域に配置されている第２読取り部とを原稿搬送方向にずらせて配置すると共に、これら読取り部の間に原稿が存在する間は、両光源の点灯状態を維持する維持手段が設けられていることを特徴とする両面原稿読取り装置。
【請求項６】
原稿の一方の面及び他方の面に対して各光源からの光を照射することにより原稿両面の画像を読取る両面原稿読取り装置において、
原稿の一方の面を読取る領域に配置されている第１読取り部と、原稿の他方の面を読取る領域に配置されている第２読取り部とを原稿搬送方向にずらせて配置すると共に、これら両読取り部を原稿が通過した後に両光源を消灯させることを特徴とする両面原稿読取り装置。
【請求項７】
原稿の一方の面及び他方の面に対して各光源からの光を照射することにより原稿両面の画像を読取る両面原稿読取り装置において、
原稿の一方の面を読取る領域に配置されている第１読取り部と、原稿の他方の面を読取る領域に配置されて第１読取り部よりも遅れて原稿読取りが行われる第２読取り部とを備えていると共に、第１読取り部には第１光源が第２読取り部には第２光源がそれぞれ配設され、原稿が第２読取り部を通過した後に第１光源を消灯させることを特徴とする両面原稿読取り装置。
【請求項８】
請求項４〜７のうち何れか一つに記載の両面原稿読取り装置において、
光源の点灯タイミングまたは光源の光量が所定光量に達するタイミングが、原稿が照射領域に到達した時点に一致するよう設定されていることを特徴とする両面原稿読取り装置。
【請求項９】
請求項４〜８のうち何れか一つに記載の両面原稿読取り装置において、
原稿と光源との相対距離を検出する位置検出手段と、
この位置検出手段の出力を受け、原稿と光源との相対距離と、原稿と光源との相対速度とにより、原稿が照射領域に到達する時刻を算出し、その算出結果に基づいて光源の点灯タイミングを設定する点灯手段とを備えていることを特徴とする両面原稿読取り装置。
【請求項１０】
第１光源が原稿の一方面に向かって光を照射して原稿の一方面を読み取る第１読取部と、第２光源が原稿の他方面に向かって光を照射して原稿の他方面を読み取る第２読取部とを備え、
第１読取部によって原稿の一方面を読み取る領域が、第２読取部によって原稿の他方面を読み取る領域より原稿搬送方向上流側にずれるように第１読取部及び第２読取部を配置し、原稿の両面の画像を読み取る両面原稿読取り装置において、
上記原稿が第２読取部による読み取り領域を通過した後に上記第１光源を消灯させることを特徴とする両面原稿読取り装置。
【請求項１１】
請求項１０記載の両面原稿読取り装置において、
第１光源の点灯状態を維持する時間が、第２光源の点灯状態を維持する時間よりも長くなるように構成されていることを特徴とする両面原稿読取り装置。
【請求項１２】
請求項１０記載の両面原稿読取り装置において、
原稿が第１読取部の読取領域に到達した時または到達する前に第２光源を点灯状態に駆動することを特徴とする両面原稿読取り装置。
【請求項１３】
請求項１０記載の両面原稿読取り装置において、
第２光源は、第１光源が点灯状態に駆動された後で、且つ第１読取部による原稿読み取りの開始前に点灯状態に駆動させることを特徴とする両面原稿読取り装置。
【請求項１４】
請求項１３記載の両面原稿読取り装置において、
第２光源は、発光ダイオードで構成されていることを特徴とする両面原稿読取り装置。
【請求項１５】
請求項１０記載の両面原稿読取り装置において、
第１光源及び第２光源を、それぞれ独立して駆動することを特徴とする両面原稿読取り装置。
【請求項１６】
第１光源が原稿の一方面に向かって光を照射して原稿の一方面を読み取る第１読取部と、第２光源が原稿の他方面に向かって光を照射して原稿の他方面を読み取る第２読取部とを備え、
第１読取部によって原稿の一方面を読み取る領域が、第２読取部によって原稿の他方面を読み取る領域より原稿搬送方向上流側にずれるように第１読取部及び第２読取部を配置し、原稿の両面の画像を読み取る両面原稿読取り装置において、
第１読取部よりも上流に配置され、原稿を第１読取部へと搬送する原稿搬送ローラと、 上記原稿搬送ローラにて第１読取部の読取領域へと搬送される原稿の先端及び後端を検出する位置検出手段と、
上記位置検出手段が原稿の後端を検出してから所定の時間が経過する前に、次の原稿の先端を検出した時は、上記第１読取部にて画像を読み取るために、上記第１光源の点灯状態を維持する維持手段を備えていることを特徴とする両面原稿読取り装置。
【請求項１７】
請求項１６記載の両面原稿読取り装置において、
維持手段は、位置検出手段が原稿の後端を検出してから所定の時間が経過する前に、次の原稿の先端を検出しなかった時は、第１光源を消灯させることを特徴とする両面原稿読取り装置。
【請求項１８】
請求項１６記載の両面原稿読取り装置において、
維持手段は、位置検出手段が原稿の後端を検出してから所定の時間が経過する前に、次の原稿の先端を検出しなかった時は、第２光源を消灯させるまで第１光源の点灯状態を維持することを特徴とする両面原稿読取り装置。
【請求項１９】
第１光源が原稿の一方面に向かって光を照射して原稿の一方面を読み取る第１読取部と、第２光源が原稿の他方面に向かって光を照射して原稿の他方面を読み取る第２読取部とを備え、
第１読取部によって原稿の一方面を読み取る領域が、第２読取部によって原稿の他方面を読み取る領域より原稿搬送方向上流側にずれるように第１読取部及び第２読取部を配置し、原稿の両面の画像を読み取るようにしてなり、
上記原稿が第２読取部による読み取り領域を通過した後に上記第１光源を消灯させるようにした両面原稿読取り装置を搭載していることを特徴とする画像形成装置。
【手続補正３】
【補正対象書類名】明細書
【補正対象項目名】０００９
【補正方法】変更
【補正の内容】
【０００９】
−解決手段−
具体的には、原稿搬送路上の所定の照射領域に向けて光を照射する光源を備えた原稿読取り手段が原稿搬送路の原稿表面側及び原稿裏面側のそれぞれに備えられ、原稿搬送路を走行する原稿の表裏面に各光源から光を照射しながら各原稿読取り手段がこの表裏面の画像をそれぞれ読取る両面原稿読取り装置を前提とする。この両面原稿読取り装置に対し、上記照射領域のうち、少なくとも一方の照射領域に原稿が存在している間、両光源の点灯状態を維持する維持手段を設けている。


【手続補正４】
【補正対象書類名】明細書
【補正対象項目名】００１２
【補正方法】変更
【補正の内容】
【００１２】
この特定事項により、光源の点灯タイミングを、原稿が照射領域に到達した時点に一致させたり、または、光源の光量が所定光量に達するタイミングを、原稿が照射領域に到達した時点に一致させることが可能になる。従って、必要以上に光源を早く点灯させてしまうといったことが回避でき、電力消費量を削減できる。
上記両光源は略同時に点灯及び消灯が行われる。
また、原稿の一方の面を読取る領域に配置されている第１読取り部と、原稿の他方の面を読取る領域に配置されている第２読取り部とを原稿搬送方向にずらせて配置する。この場合、維持手段は、原稿の何れかの面の画像を読取っている間は、両光源の点灯状態を維持する。また、維持手段は、各読取り部の間に原稿が存在する間は、両光源の点灯状態を維持する。更に、両読取り部を原稿が通過した後に両光源を消灯させるようにしている。
更に、第２読取り部を第１読取り部よりも遅れて原稿読取りが行われる領域に配置し、第１読取り部に第１光源を、第２読取り部に第２光源をそれぞれ配設して、原稿が第２読取り部を通過した後に第１光源を消灯させる。
また、光源の点灯タイミングまたは光源の光量が所定光量に達するタイミングが、原稿が照射領域に到達した時点に一致するよう設定されている。
位置検出手段は原稿と光源との相対距離を検出する。点灯手段は、位置検出手段の出力を受け、原稿と光源との相対距離と、原稿と光源との相対速度とにより、原稿が照射領域に到達する時刻を算出し、その算出結果に基づいて光源の点灯タイミングを設定する。
一方、第１読取部によって原稿の一方面を読み取る領域が、第２読取部によって原稿の他方面を読み取る領域より原稿搬送方向上流側にずれるように第１読取部及び第２読取部を配置し、原稿が第２読取部による読み取り領域を通過した後に上記第１光源を消灯させるようにしている。
この場合、第１光源の点灯状態を維持する時間が、第２光源の点灯状態を維持する時間よりも長くなるようにする。
また、原稿が第１読取部の読取領域に到達した時または到達する前に第２光源を点灯状態に駆動する。
また、第２光源は、第１光源が点灯状態に駆動された後で、且つ第１読取部による原稿読み取りの開始前に点灯状態に駆動される。
更に、第２光源は、発光ダイオードで構成されている。
また、第１光源及び第２光源がそれぞれ独立して駆動するようにしている。
また、第１光源が原稿の一方面に向かって光を照射して原稿の一方面を読み取る第１読取部と、第２光源が原稿の他方面に向かって光を照射して原稿の他方面を読み取る第２読取部とを備え、第１読取部によって原稿の一方面を読み取る領域が、第２読取部によって原稿の他方面を読み取る領域より原稿搬送方向上流側にずれるように第１読取部及び第２読取部を配置し、原稿の両面の画像を読み取る両面原稿読取り装置において、第１読取部よりも上流に配置され、原稿を第１読取部へと搬送する原稿搬送ローラと、上記原稿搬送ローラにて第１読取部の読取領域へと搬送される原稿の先端及び後端を検出する位置検出手段と、上記位置検出手段が原稿の後端を検出してから所定の時間が経過する前に、次の原稿の先端を検出した時は、上記第１読取部にて画像を読み取るために、上記第１光源の点灯状態を維持する維持手段とを備えさせる。
この場合、維持手段は、位置検出手段が原稿の後端を検出してから所定の時間が経過する前に、次の原稿の先端を検出しなかった時は、第１光源を消灯させる。更に、維持手段は、位置検出手段が原稿の後端を検出してから所定の時間が経過する前に、次の原稿の先端を検出しなかった時は、第２光源を消灯させるまで第１光源の点灯状態を維持する。
また、上記両面原稿読取り装置が原稿読取り部として適用された画像形成装置も本発明の技術的思想の範疇である。つまり、第１光源が原稿の一方面に向かって光を照射して原稿の一方面を読み取る第１読取部と、第２光源が原稿の他方面に向かって光を照射して原稿の他方面を読み取る第２読取部とを備え、第１読取部によって原稿の一方面を読み取る領域が、第２読取部によって原稿の他方面を読み取る領域より原稿搬送方向上流側にずれるように第１読取部及び第２読取部を配置し、原稿の両面の画像を読み取るようにしてなり、上記原稿が第２読取部による読み取り領域を通過した後に上記第１光源を消灯させるようにした両面原稿読取り装置を搭載した画像形成装置である。